(57)【要約】【課題】外出先の利用者において全発信者関連情報の要求か最新発信者関連情報の要求かの選択や同一発呼者からの発信者関連情報をまとめて送出することが可能で、再生音声をスローにすることやフォワードしたりリピートしたりすることが可能で、電話帳に名前が登録されている電話番号の着信の場合には発信者関連情報に確実に名前を格納することが可能なことを目的とする。【解決手段】ベル信号検知回路と、電話回線に接続するための回線インタフェース部と、全体を制御する制御部１０を有する電話装置であって、制御部は、発信者情報を受信したか否かを判定する発信者情報受信判定手段１０２と、発信者情報を受信したと判定したときは発信者情報の示す発信者の着信日時や着信件数等が格納された履歴データの有無に応じて履歴データを新規作成または更新して記憶部に記憶させる発信者情報受信処理手段１０４とを有する。【選択図】　図３
2004023218.tif 000002
【特許請求の範囲】
【請求項１】
ベル信号を検知するベル信号検知回路と、電話回線に接続するための回線インタフェース部と、全体を制御する制御部とを有する電話装置であって、
前記制御部は、発信者情報を受信したか否かを判定する発信者情報受信判定手段と、前記発信者情報を受信したと判定したときは前記発信者情報の示す発信者の着信日時や着信件数等が格納された履歴データの有無に応じて前記履歴データを新規作成または更新して前記記憶部に記憶させる発信者情報受信処理手段とを有することを特徴とする電話装置。
【請求項２】
受信した発信者情報を所定の形式で記憶部に記憶させると共に前記所定の形式で前記記憶部に記憶された発信者情報を読み出して前記回線インタフェース部へ出力する音声処理部を備え、
前記制御部は、回線閉結後に外部から受信したパスワードが所定のパスワードと一致するか否かを判定するパスワードデータ判定手段と、前記受信したパスワードが所定のパスワードと一致したと判定したときは受信した再生コマンドの内容に応じて、前記記憶部に記憶された全ての履歴データまたは最新の履歴データを前記音声処理部を介して外部へ送信する発信者情報音声送出処理手段とを有することを特徴とする請求項１に記載の電話装置。
【請求項３】
前記発信者情報受信処理手段は、前記発信者情報の示す発信者の履歴データの有無を判定する履歴データ有無判定手段と、前記履歴データが有ると判定したときは前記履歴データの受信日時を最新の受信日時に更新すると共に前記履歴データの着信件数を１件カウントアップする履歴データ更新手段と、前記履歴データが無いと判定したときは新規の履歴データを登録すると共に前記履歴データへの名前データの登録を調整する履歴データ登録手段とを有することを特徴とする請求項１または２に記載の電話装置。
【請求項４】
前記履歴データ登録手段は、前記発信者情報に名前データが含まれているときは、前記含まれる名前データを前記履歴データに登録し、前記発信者情報に名前データは含まれないが前記発信者情報の示す電話番号と同一の電話番号が電話帳にあるときは、前記同一の電話番号に対応する名前データを前記履歴データに登録することを特徴とする請求項１乃至３のいずれか１に記載の電話装置。
【請求項５】
前記発信者情報音声送出処理手段は、前記受信した再生コマンドが全発信者関連情報の送出コマンドである場合には前記記憶部に記憶された全ての履歴データを前記音声処理部を介してアナログ音声信号として外部へ送出し、前記受信した再生コマンドが最新発信者関連情報の送出コマンドである場合には前記記憶部に記憶された最新の履歴データを前記音声処理部を介してアナログ音声信号として外部へ送出するスピーチ送出処理手段を有することを特徴とする請求項２乃至４のいずれか１に記載の電話装置。
【請求項６】
前記スピーチ送出処理手段は、前記受信した再生コマンドがスロー再生コマンドである場合には前記記憶部からの履歴データの読出しをスローで行う再生設定手段を備えたことを特徴とする請求項２乃至５のいずれか１に記載の電話装置。
【請求項７】
前記スピーチ送出処理手段は、リピートコマンドを受信したかフォワードコマンドを受信したかを判定する再生方法コマンド判定手段を有し、リピートコマンドを受信したと判定したときは音声再生を再び繰り返すことを特徴とする請求項２乃至６のいずれか１に記載の電話装置。
【請求項８】
前記制御部は、前記記憶部における録音データの有無を判定する録音データ有無判定手段と、前記録音データが有ると判定したときは前記履歴データの録音有りフラグを立てるフラグ制御手段とを有することを特徴とする請求項１乃至７のいずれか１に記載の電話装置。
【発明の詳細な説明】
【０００１】
【発明の属する技術分野】
本発明は、ベル信号を検知するベル信号検知回路、電話回線に接続するための回線インタフェース部、受信した発信者情報を所定の形式で記憶部に記憶させると共に所定の形式で記憶部に記憶された発信者情報を読み出して回線インタフェース部へ出力する音声処理部、全体を制御する制御部等を有し、記憶部に記憶されている発信者情報を含む発信者関連情報を例えば外出先の利用者からの要求に応じて自宅等から利用者に送信するための電話装置に関するものである。
【０００２】
【従来の技術】
近年、留守番電話機能の向上により、着信のあった電話番号や着信メッセージを外出先から音声として聴取できるようになっている。
【０００３】
図１（ａ）、（ｂ）は一般的な留守番電話システムを示す構成図である。
【０００４】
図１において、２１は利用者の自宅の電話装置、２２は電話回線網、２３は相手の電話装置、２４は利用者の電話装置、例えば携帯電話機である。
【０００５】
図１（ａ）に示すように、相手電話装置２３から着信があった場合、相手電話装置２３の電話番号や日時を示す発信者情報ａおよびメッセージが電話装置２１で受信され、発信者情報ａは発信者の着信履歴を示す履歴データとして、着信メッセージは録音データとして、記憶部（図示しない）に記憶される。これらの履歴データと録音データを含む情報が発信者関連情報である。
【０００６】
図１（ｂ）に示すように、利用者が外出先から電話装置２１の着信内容の通知を要求する要求信号ｂを携帯電話機２４から送信した場合、電話装置２１は記憶部に記憶している発信者関連情報ｃを携帯電話機２４へ送信する。これにより、利用者は、外出先で発信者関連情報ｃを受信して、その内容を音声等で知ることができる。なお、利用者が以上のようにして外部から聴取したり、あるいは電話装置２１を直接操作して聴取した発信者関連情報は古い情報であり、まだ聴取していない発信者関連情報は最新の情報である。
【０００７】
【発明が解決しようとする課題】
しかしながら、従来の電話装置では、外出先の利用者に対して、着信のあった電話番号、メッセージ等を含む発信者関連情報を送信することができるが、その内容は画一的なものであり、発信者関連情報の中の最新なものを選択したり、同一発呼者からの発信者関連情報をまとめて送出したり、再生音声をスローにしたり、再生中の発信者関連情報をフォワード（Ｆｏｒｗａｒｄ）したりリピート（Ｒｅｐｅａｔ）したりすることができないという問題点を有し、また電話帳に名前が登録されている電話番号の発信者関連情報であっても名前が含まれない場合があるという問題点を有していた。更には、発信者情報を再生した時に録音データの有無を利用者に通知しないという問題点を有していた。
【０００８】
この電話装置では、すべての発信者関連情報を要求するか、最新の発信者関連情報を要求するかの選択が可能で、また再生音声をスローにすることが可能で、再生時にフォワードしたりリピートしたりすることが可能で、電話帳に名前が登録されている電話番号の着信の場合には発信者関連情報に確実に名前を含ませることができることが要求されている。
【０００９】
本発明は、この要求を満たすため、外出先の利用者において全発信者関連情報の要求か最新発信者関連情報の要求かの選択や同一発呼者からの発信者関連情報をまとめて送出することが可能で、再生音声をスローにすることやフォワードしたりリピートしたりすることが可能で、電話帳に名前が登録されている電話番号の着信の場合には発信者関連情報に確実に名前を格納することが可能な電話装置を提供することを目的とする。
【００１０】
【課題を解決するための手段】
上記課題を解決するために本発明の電話装置は、ベル信号を検知するベル信号検知回路と、電話回線に接続するための回線インタフェース部と、全体を制御する制御部とを有する電話装置であって、制御部は、発信者情報を受信したか否かを判定する発信者情報受信判定手段と、発信者情報を受信したと判定したときは発信者情報の示す発信者の着信日時や着信件数等が格納された履歴データの有無に応じて履歴データを新規作成または更新して記憶部に記憶させる発信者情報受信処理手段とを有する構成を備えている。
【００１１】
これにより、外出先の利用者において全発信者関連情報の要求か最新発信者関連情報の要求かの選択や同一発呼者からの発信者関連情報をまとめて送出することが可能な電話装置が得られる。
【００１２】
【発明の実施の形態】
本発明の請求項１に記載の電話装置は、ベル信号を検知するベル信号検知回路と、電話回線に接続するための回線インタフェース部と、全体を制御する制御部とを有する電話装置であって、制御部は、発信者情報を受信したか否かを判定する発信者情報受信判定手段と、発信者情報を受信したと判定したときは発信者情報の示す発信者の着信日時や着信件数等が格納された履歴データの有無に応じて履歴データを新規作成または更新して記憶部に記憶させる発信者情報受信処理手段とを有することとしたものである。
【００１３】
この構成により、発信者情報つまり発信者関連情報の新旧や件数を判定することができるので、外出先の利用者の要求に応じて、新旧すべての発信者関連情報を送信したり、最新の発信者関連情報を送信したりすることができ、また、同一発呼者からの発信者関連情報をまとめて送出することができるという作用を有する。
【００１４】
請求項２に記載の電話装置は、請求項１に記載の電話装置において、受信した発信者情報を所定の形式で記憶部に記憶させると共に所定の形式で記憶部に記憶された発信者情報を読み出して回線インタフェース部へ出力する音声処理部を備え、制御部は、回線閉結後に外部から受信したパスワードが所定のパスワードと一致するか否かを判定するパスワードデータ判定手段と、受信したパスワードが所定のパスワードと一致したと判定したときは受信した再生コマンドの内容に応じて、記憶部に記憶された全ての履歴データまたは最新の履歴データを音声処理部を介して外部へ送信する発信者情報音声送出処理手段とを有することとしたものである。
【００１５】
この構成により、受信した再生コマンドに応じて、記憶部に記憶された全ての履歴データおよびメッセージデータまたは最新の履歴データおよびメッセージデータを音声処理部を介して外部へ送信することができるので、外出先の利用者の要求に応じて、新旧すべての発信者関連情報を送信したり、最新の発信者関連情報を送信したりすることができるという作用を有する。
【００１６】
請求項３に記載の電話装置は、請求項１または２に記載の電話装置において、発信者情報受信処理手段は、発信者情報の示す発信者の履歴データの有無を判定する履歴データ有無判定手段と、履歴データが有ると判定したときは履歴データの受信日時を最新の受信日時に更新すると共に履歴データの着信件数を１件カウントアップする履歴データ更新手段と、履歴データが無いと判定したときは新規の履歴データを登録すると共に履歴データへの名前データの登録を調整する履歴データ登録手段とを有することとしたものである。
【００１７】
この構成により、履歴データの有無に応じて適正に履歴データを作成・更新することができ、また名前データを確実に登録することができるという作用を有する。
【００１８】
請求項４に記載の電話装置は、請求項１乃至３のいずれか１に記載の電話装置において、履歴データ登録手段は、発信者情報に名前データが含まれているときは、含まれる名前データを履歴データに登録し、発信者情報に名前データは含まれないが発信者情報の示す電話番号と同一の電話番号が電話帳にあるときは、同一の電話番号に対応する名前データを履歴データに登録することとしたものである。
【００１９】
この構成により、名前データが発信者情報に含まれているか又は電話帳に登録されている場合には確実に履歴データに登録することができるので、発信者関連情報を外出先の利用者に送信する際に、確実に発信者の名前を通知することができるという作用を有する。
【００２０】
請求項５に記載の電話装置は、請求項２乃至４のいずれか１に記載の電話装置において、発信者情報音声送出処理手段は、受信した再生コマンドが全発信者関連情報の送出コマンドである場合には記憶部に記憶された全ての履歴データを音声処理部を介してアナログ音声信号として外部へ送出し、受信した再生コマンドが最新発信者関連情報の送出コマンドである場合には記憶部に記憶された最新の履歴データを音声処理部を介してアナログ音声信号として外部へ送出するスピーチ送出処理手段を有することとしたものである。
【００２１】
この構成により、受信した再生コマンドが全発信者関連情報の送出コマンドか又は最新発信者関連情報の送出コマンドかに応じて全履歴データ（つまり全発信者関連情報）または最新履歴データ（つまり最新発信者関連情報）を送信するようにしたので、外出先の利用者の要求に応じて確実に、新旧すべての発信者関連情報を送信したり、最新の発信者関連情報を送信したりすることができるという作用を有する。
【００２２】
請求項６に記載の電話装置は、請求項２乃至５のいずれか１に記載の電話装置において、スピーチ送出処理手段は、受信した再生コマンドがスロー再生コマンドである場合には記憶部からの履歴データの読出しをスローで行う再生設定手段を備えることとしたものである。
【００２３】
この構成により、受信した再生コマンドがスロー再生を指示しているときには確実に録音データのスロー再生を行って、スローに再生された音声信号を外出先の利用者に送信することができるので、利用者は確実に着信者のメッセージを理解することができるという作用を有する。
【００２４】
請求項７に記載の電話装置は、請求項２乃至６のいずれか１に記載の電話装置において、スピーチ送出処理手段は、リピートコマンドを受信したかフォワードコマンドを受信したかを判定する再生方法コマンド判定手段を有し、リピートコマンドを受信したと判定したときは音声再生を再び繰り返すこととしたものである。
【００２５】
この構成により、受信した再生コマンドがリピートコマンドであるときには音声再生が繰り返されるので、利用者は音声を確実に聞き取ることができ、また、再生コマンドがフォワードコマンドであるときには再生処理を直ちに終了させることができるので、処理の迅速化を図ることができるという作用を有する。
【００２６】
請求項８に記載の電話装置は、請求項１乃至７のいずれか１に記載の電話装置において、制御部は、記憶部における録音データの有無を判定する録音データ有無判定手段と、録音データが有ると判定したときは履歴データの録音有りフラグを立てるフラグ制御手段とを有することとしたものである。
【００２７】
この構成により、確実かつ迅速に録音メッセージの有無を判定して利用者に通知することができ、必要な場合には利用者は直ちに音声を再生することができるという作用を有する。
【００２８】
以下、本発明の実施の形態について、図１〜図１４を用いて説明する。
【００２９】
（実施の形態１）
図２は、本発明の実施の形態１による電話装置を示すブロック図であり、図１の電話装置２１に相当するものである。
【００３０】
図２において、１は電話回線の閉結や開放を制御する回線インタフェース部、２はアナログ信号とデジタル信号の相互変換を行うＡ／Ｄ．Ｄ／Ａ変換回路（以下単に「変換回路」という）、３は録音開始のビープ音を送出するトーン（ＴＯＮＥ）信号出力回路、４は並列接続電話機のオンフック、オフフックを検知する並列接続電話機オン・オフフック検知回路、５はパスワードや再生コマンドを含むＤＴＭＦ信号を検知するＤＴＭＦ信号検知回路、６は電話回線の終話音を検知する終話音信号検知回路、７は電話回線のベル信号を検知するベル信号検知回路、８は電話がかかってきた時に送られてくる発信者情報（電話番号、名前、日時等の情報）を受信する発信者情報受信回路、９はデジタル変換された音声信号（デジタル音声データ）を圧縮して圧縮音声データとして後述の記憶部１１に記憶し、また記憶した圧縮音声データを伸長して変換回路２に出力し、また発信者情報として記憶されているテキストデータをスピーチデータに変換して変換回路２に出力する音声処理部、１０は各回路の制御や条件判定を行う制御部、１１は圧縮音声データや、スピーチデータ、発信者情報を記憶する記憶部、１２はトークボタンまたはスピーカホンボタンが押されたことや、ハンドセットが持ち上げられたことを制御部１０に通知するオン・オフフック検出部である。
【００３１】
図３は、プログラムによって実現される制御部１０の構成を示す機能ブロック図である。
【００３２】
図３において、１０１はベル信号検知回路７においてベル信号が検知されたか否かを判定するベル信号検知判定手段、１０２は発信者情報受信回路８において発信者情報を受信したか否かを判定する発信者情報受信判定手段、１０３はベル回数をカウントするためのベル回数カウント処理手段、１０４は受信した発信者情報を処理する発信者情報受信処理手段、１０５は電話回線を制御する回線制御手段、１０６は録音に関する制御を行う録音制御手段、１０７は電話回線のモニタを行う回線モニタ処理手段、１０８はパスワードデータを受信したか否かを判定すると共にパスワードが一致したか否かを判定するパスワードデータ判定手段、１０９は発信者情報を音声として送出する処理を行う発信者情報音声送出処理手段、１０９ａは終話音を検知する終話音検知手段、１１０は録音データの有無を判定する録音データ有無判定手段、１１１はフラグを立てるためのフラグ設定手段である。
【００３３】
このように構成された制御部１０について、その動作（メイン処理）を図４を用いて説明する。図４は制御部１０の動作を示すフローチャートである。
【００３４】
図４において、まず、ベル信号検知判定手段１０１は電話回線のベル信号をモニタし（Ｓ１）、電話回線からのベル信号（例えば外出先の利用者の携帯電話機２４（図１（ｂ））からのベル信号）を検知したか否かをベル信号検知回路７からの通知に基づいて判定する（Ｓ２）。ベル信号を検知したと判定した場合は次に発信者情報受信判定手段１０２は、発信者情報を受信したか否かを判定する（Ｓ３）。発信者情報を受信しなかったと判定した場合は後述のベル回数カウント処理手段１０３はベル回数をカウントし、ベル回数が設定回数以上になった場合にはステップＳ５へ移行する（Ｓ４）。ステップＳ３で発信者情報を受信したと判定した場合には後述の発信者情報受信処理手段１０４は履歴データを新規作成したり更新し（Ｓ１４）、発信者情報受信処理を終了したら、ステップＳ４のベル回数カウント処理へ移行する。
【００３５】
ステップＳ５において回線制御手段１０５は回線インタフェース部１を制御して電話回線を閉結し、録音制御手段１０６は、応答メッセージと、録音を開始する合図音であるビープ音とを電話回線を例えば外出先の利用者の携帯電話機へ出力し（Ｓ６、Ｓ７）、録音動作を開始する（Ｓ８）。録音は、電話回線からの音声を変換回路２でデジタル音声データに変換し、音声処理部９で圧縮音声データに変換し、その圧縮音声データを記憶部１１に記憶することにより行われる。次に、後述の回線モニタ処理手段１０７は回線モニタ処理を行う（Ｓ９）。回線モニタ処理においてはＤＴＭＦ信号のモニタを行うが、オフフックが検出されず、並列接続電話機の持ち上げも検出されない場合にはステップＳ１０へ移行する。
【００３６】
ステップＳ１０においてパスワードデータ判定手段１０８はパスワードデータを受信したか否かを判定し、パスワードデータを受信したと判定した場合には次にパスワードデータ判定手段１０８はパスワードが所定のパスワード（例えば利用者のパスワード）と一致したか否かを判定し（Ｓ１７）、一致したと判定した場合には録音制御手段１０６は録音動作を終了し（Ｓ１８）、後述の発信者情報音声送出処理手段１０９は発信者情報音声送出の処理を行う（Ｓ１５）。ステップＳ１０でパスワードデータを受信しなかったと判定した場合は次に終話音検知手段１０９ａは終話音を検知したか否かを判定し（Ｓ１０ａ）、終話音を検知したと判定した場合には次に録音制御手段１０６は録音動作を終了する（Ｓ１１）。終話音を検知しなかったと判定した場合にはステップＳ９へ戻る。また、ステップＳ１７でパスワードが一致しなかったと判定した場合にも録音制御手段１０６は録音動作を終了する（Ｓ１１）。次に、回線制御手段１０５は電話回線を開放状態にする（Ｓ１２）。次に、録音データ有無判定手段１１０は記憶部１１における録音データの有無を判定し（Ｓ１３）、録音データが有る場合には受信の履歴データの録音有りフラグを立て（Ｓ１６）、メイン処理を終了する。録音データがない場合には受信の履歴データの録音有りフラグを立てずに、メイン処理を終了する。
【００３７】
図５は、ステップＳ４の動作主体つまりベル回数カウント処理手段１０３を示す機能ブロック図である。
【００３８】
図５において、１２１はベル信号検知回路７からの通知に基づいてベル回数をカウントするベル回数カウント手段、１２２は電話装置におけるオン・オフフック検出部１２の通知に基づいてオフフックを検出したか否かを判定するオフフック検出手段、１２３は並列接続電話機オン・オフフック検知回路４からの通知に基づいて並列接続電話機（図示せず）のオン・オフフック（並列接続電話機が持ち上げられたか否か）の判定を行う並列接続電話機判定手段である。
【００３９】
このように構成されたベル回数カウント処理手段１０３について、その動作を図６を用いて説明する。図６はベル回数カウント処理手段１０３の動作（ベル回数カウント処理）を示すフローチャートである。
【００４０】
図６において、まず、ベル回数カウント手段１２１はベルの回数をカウントすし（Ｓ４１）、オフフック検出判定手段１２２はオフフックが検出されたか否かを判定し（Ｓ４２）、オフフックが検出されたと判定したときは通話状態へ移行する（Ｓ４５）。オフフックが検出されなかったと判定したときは次に並列接続電話機判定手段１２３は並列接続電話機がオフフックか否かを判定し（Ｓ４３）、オフフックと判定したときはメイン処理を終了する（当然にベル回数カウント処理も終了する）。並列接続電話機がオフフックでないと判定したときはベル回数カウント手段１２１はベルの回数が設定回数（例えば５回）以上か否かを判定し（Ｓ４４）、ベルの回数が設定回数以上であると判定したときはベル回数カウント処理を終了してステップＳ５へ移行する。
【００４１】
図７は、ステップＳ１４の動作主体つまり発信者情報受信処理手段１０４を示す機能ブロック図である。
【００４２】
図７において、１３１は履歴データの有無を判定する履歴データ有無判定手段、１３２は履歴データを更新する履歴データ更新手段、１３３は履歴データを新規に登録する履歴データ登録手段である。
【００４３】
このように構成された発信者情報受信処理手段１０４について、その動作を図８を用いて説明する。図８は発信者情報受信処理手段１０４の動作（発信者情報受信処理）を示すフローチャートである。
【００４４】
図８において、まず、履歴データ有無判定手段１３１は、受信した発信者情報の示す発信者と同一の発信者の履歴データが有るか否かを判定し（Ｓ１４１）、履歴データがあると判定したときは履歴データ更新手段１３２は、履歴データの受信日時（着信日時）を最新へ更新し（Ｓ１４２）、履歴データの着信件数を１件カウントアップする（Ｓ１４３）。履歴データには、上述した着信日時と着信件数の他、発信者電話番号、発信者の名前、録音データの有無などが格納されている。ステップＳ１４１で同一の発信者の履歴データがないと判定したときは、履歴データ登録手段１３３は、新規の履歴データ（新規受信履歴データ）を登録し（Ｓ１４４）、受信した発信者情報に名前データが有るか否かを判定し（Ｓ１４５）、名前があると判定したときは名前データを新規の履歴データに格納し（Ｓ１４７）、発信者情報受信処理を終了してステップＳ４へ移行する。受信した発信者情報に名前データがない場合には発信者情報の示す電話番号と同一電話番号に名前データがあるか否かを電話帳（図示せず）で検索し（Ｓ１４６）、電話帳の同一電話番号に名前データがある場合にはその名前データを新規の履歴データに格納し（Ｓ１４７）、名前データがない場合にはそのまま発信者情報受信処理を終了し、ステップＳ４へ移行する。なお、ステップＳ１４５〜Ｓ１４７は名前データの調整動作を示すものである。
【００４５】
図９は、ステップＳ９の動作主体つまり回線モニタ処理手段１０７を示す機能ブロック図である。
【００４６】
図９において、１４１はＤＴＭＦ信号をモニタするＤＴＭＦモニタ手段、１４２はオン・オフフック検出部１２の通知に基づいてオフフックを検出したか否かを判定するオフフック検出手段、１４３は並列接続電話機オン・オフフック検知回路４からの通知に基づいて並列接続電話機のオン・オフフックの判定を行う並列接続電話機判定手段である。
【００４７】
このように構成された回線モニタ処理手段１０７について、その動作を図１０を用いて説明する。図１０は回線モニタ処理手段１０７の動作（回線モニタ処理）を示すフローチャートである。
【００４８】
図１０において、まず、ＤＴＭＦモニタ手段１４１はＤＴＭＦ信号をモニタする（Ｓ９１）。次に、オフフック検出判定手段１４２はオフフックが検出されたか否かを判定し（Ｓ９２）、オフフックが検出されたと判定したときは通話状態へ移行する（Ｓ９４）。オフフックが検出されなかったと判定したときは次に並列接続電話機判定手段１４３は並列接続電話機がオフフックか否かを判定し（Ｓ９３）、オフフックと判定したときは回線モニタ処理を終了して、メイン処理のステップＳ１１へ移行する。並列接続電話機がオフフックでないと判定したときは回線モニタ処理を終了して、メイン処理のステップＳ１０へ移行する。
【００４９】
図１１は、ステップＳ１５の動作主体つまり発信者情報音声送出処理手段１０９を示す機能ブロック図である。
【００５０】
図１１において、１５１は再生コマンドの内容を判定する再生コマンド判定手段、１５２は着信履歴データ（受信履歴データ）の有無を判定する着信履歴有無判定手段、１５３はスピーチ（通知音声信号）を送出する処理を行う後述のスピーチ送出処理手段、１５４は関連する全履歴情報を送出したか否かを判定する全履歴情報送出判定手段、１５５は送出する履歴情報を次の履歴情報に移動させる履歴情報移動手段、１５６は着信履歴データが無い場合にその旨を通知する通知手段、１５７は電話回線の開閉を制御する回線制御手段である。
【００５１】
このように構成された発信者情報音声送出処理手段１０９について、その動作を図１２を用いて説明する。図１２は発信者情報音声送出処理手段１０９の動作（発信者情報音声送出処理）を示すフローチャートである。
【００５２】
図１２において、まず、再生コマンド判定手段１５１は再生コマンドの内容が全発信者関連情報の選択か最新発信者関連情報の選択かを判定し（Ｓ１５１）、最新発信者関連情報の選択または再生コマンドを受信無しと判定したときは次に着信履歴有無判定手段１５２は新しい着信履歴データの有無を判定し（Ｓ１５２）、新しい着信履歴データが無いと判定したときは通知手段１５６は、新しい着信履歴データが無いことを回線インタフェース部１、電話回線を介して例えば利用者の携帯電話機に通知し（Ｓ１５３）、回線制御手段１５７は電話回線を開放状態にする（Ｓ１５４）。ステップＳ１５２で新しい着信履歴データが有ると判定したときは次に後述のスピーチ送出処理手段１５３は、スピーチの送出処理を行う（Ｓ１５５）。次に、全履歴情報送出判定手段１５４は、全ての最新履歴データを送出したか否かを判定し（Ｓ１５６）、送出したと判定したときは回線制御手段１５７は電話回線を開放状態とし（Ｓ１５４）、送出していないと判定したときは履歴情報移動手段１５５は次の履歴情報に移動して（Ｓ１５７）、ステップＳ１５５へ移行する。ステップＳ１５１で全発信者関連情報の選択と判定したときは次に着信履歴有無判定手段１５２は着信履歴データの有無を判定し（Ｓ１５８）、着信履歴データが無いと判定したときは通知手段１５６は、着信履歴データが無いことを回線インタフェース部１、電話回線を介して例えば利用者の携帯電話機に通知し（Ｓ１５３）、回線制御手段１５７は電話回線を開放状態にする（Ｓ１５４）。ステップＳ１５８で着信履歴データが有ると判定したときは次に後述のスピーチ送出処理手段１５３は、スピーチの送出処理を行う（Ｓ１５９）。次に、全履歴情報送出判定手段１５４は、全ての履歴データを送出したか否かを判定し（Ｓ１６０）、送出したと判定したときは回線制御手段１５７は電話回線を開放状態とし（Ｓ１５４）、送出していないと判定したときは履歴情報移動手段１５５は次の履歴情報に移動して（Ｓ１６１）、ステップＳ１５９へ移行する。なお、新しい着信履歴を送出した時には送出済のフラグを立て、次回の着信履歴の送出の際には、新しい着信履歴として送出されないようにする。
【００５３】
図１３は、ステップＳ１５５、Ｓ１５９の動作主体つまりスピーチ送出処理手段１５３を示す機能ブロック図である。
【００５４】
図１３において、１６１は音声処理部９において発信者情報（テキストデータ）をスピーチデータに変換させ、変換回路２においてスピーチデータをアナログ音声信号に変換させる音声処理手段、１６２はスロー再生コマンドを受信したか否かを判定するスロー再生コマンド判定手段、１６３はスロー再生を設定する再生設定手段、１６４は再生方法を示すコマンド（再生方法コマンド）を受信したか否かを判定する再生方法コマンド判定手段、１６５は録音メッセージの有無を通知する通知手段、１６６は録音再生コマンドを受信したか否かを判定する録音再生コマンド判定手段、１６７は録音メッセージを再生し送出する再生送出手段である。
【００５５】
このように構成されたスピーチ送出処理手段１５３について、その動作を図１４を用いて説明する。図１４はスピーチ送出処理手段１５３の動作（スピーチ送出処理）を示すフローチャートである。
【００５６】
図１４において、まず、音声処理手段１６１は、音声処理部９において発信者情報（テキストデータ）をスピーチデータ（デジタル音声データ）に変換させ、変換回路２においてスピーチデータをアナログ音声信号に変換させる（Ｓ１７１）。次に、スロー再生コマンド判定手段１６２は、スロー再生コマンドを受信したか否かを判定し（Ｓ１７２）、スロー再生コマンドを受信したと判定したときは次に再生設定手段１６３はスロー再生を設定する（Ｓ１７７）。スロー再生が終了すると次に再生方法コマンド判定手段１６４は、リピートコマンドを受信したかフォワードコマンドを受信したかを判定し（Ｓ１７３）、リピートコマンドを受信したと判定したときはステップＳ１７１へ戻る。リピート動作を終了すると次に通知手段１６５は録音メッセージの有無を例えば利用者の携帯電話機に通知し（Ｓ１７４）、次に録音再生コマンド判定手段１６６は録音再生コマンドを受信したか否かを判定し（Ｓ１７５）、受信したと判定したときは再生送出手段１６７は録音メッセージを再生し、例えば利用者の携帯電話機へ送出する（Ｓ１７６）。ステップＳ１７３でフォワードコマンドを受信したと判定した場合またはステップＳ１７５で録音再生コマンドを受信しなかったと判定した場合にはスピーチ送出処理を終了し、ステップＳ１５６またはＳ１６０へ移行する。
【００５７】
以上のように本実施の形態によれば、発信者情報を受信したか否かを判定する発信者情報受信判定手段１０２と、発信者情報を受信したと判定したときは発信者情報の示す発信者の着信日時や着信件数等が格納された履歴データの有無に応じて履歴データを新規作成または更新して記憶部１１に記憶させる発信者情報受信処理手段１０４とを有することにより、発信者情報つまり発信者関連情報の新旧や件数を判定することができるので、外出先の利用者の要求に応じて、新旧すべての発信者関連情報を送信したり、最新の発信者関連情報を送信したり、また、同一発呼者からの発信者関連情報をまとめて送出したりすることができる。
【００５８】
また、回線閉結後に外部から受信したパスワードが所定のパスワードと一致するか否かを判定するパスワードデータ判定手段１０８と、受信したパスワードが所定のパスワードと一致したと判定したときは受信した再生コマンドの内容に応じて、記憶部１１に記憶された全ての履歴データまたは最新の履歴データを音声処理部９を介して外部へ送信する発信者情報音声送出処理手段１０９とを有することにより、受信した再生コマンドに応じて、記憶部１１に記憶された全ての履歴データおよびメッセージデータまたは最新の履歴データおよびメッセージデータを音声処理部９を介して外部へ送信することができるので、外出先の利用者の要求に応じて、新旧すべての発信者関連情報を送信したり、最新の発信者関連情報を送信したりすることができる。
【００５９】
さらに、発信者情報受信処理手段１０２は、発信者情報の示す発信者の履歴データの有無を判定する履歴データ有無判定手段１３１と、履歴データが有ると判定したときは履歴データの受信日時を最新の受信日時に更新すると共に履歴データの着信件数を１件カウントアップする履歴データ更新手段１３２と、履歴データが無いと判定したときは新規の履歴データを登録すると共に履歴データへの名前データの登録を調整する履歴データ登録手段１３３とを有することにより、履歴データの有無に応じて適正に履歴データを作成・更新することができ、また名前データを確実に登録することができる。
【００６０】
さらに、履歴データ登録手段１３３は、発信者情報に名前データが含まれているときは、含まれる名前データを履歴データに登録し、発信者情報に名前データは含まれないが発信者情報の示す電話番号と同一の電話番号が電話帳にあるときは、同一の電話番号に対応する名前データを履歴データに登録することにより、名前データが発信者情報に含まれているか又は電話帳に登録されている場合には確実に履歴データに登録することができるので、発信者関連情報を外出先の利用者に送信する際に、確実に発信者の名前を通知することができる。
【００６１】
さらに、発信者情報音声送出処理手段１０９は、受信した再生コマンドが全発信者関連情報の送出コマンドである場合には記憶部１１に記憶された全ての履歴データを音声処理部を介してアナログ音声信号として外部へ送出し、受信した再生コマンドが最新発信者関連情報の送出コマンドである場合には記憶部１１に記憶された最新の履歴データを音声処理部９を介してアナログ音声信号として外部へ送出するスピーチ送出処理手段１５３を有することにより、受信した再生コマンドが全発信者関連情報の送出コマンドか又は最新発信者関連情報の送出コマンドかに応じて全履歴データ（つまり全発信者関連情報）または最新履歴データ（つまり最新発信者関連情報）を送信するようにしたので、外出先の利用者の要求に応じて確実に、新旧すべての発信者関連情報を送信したり、最新の発信者関連情報を送信したりすることができる。
【００６２】
さらに、スピーチ送出処理手段１５３は、受信した再生コマンドがスロー再生コマンドである場合には記憶部１１からの履歴データの読出しをスローで行う再生設定手段１６３を備えたことにより、受信した再生コマンドがスロー再生を指示しているときには確実に録音データのスロー再生を行って、スローに再生された音声信号を外出先の利用者に送信することができるので、利用者は確実に着信者のメッセージを理解することができる。
【００６３】
さらに、スピーチ送出処理手段１５３は、リピートコマンドを受信したかフォワードコマンドを受信したかを判定する再生方法コマンド判定手段１６４を有し、リピートコマンドを受信したと判定したときは音声再生を再び繰り返すことにより、受信した再生コマンドがリピートコマンドであるときには音声再生が繰り返されるので、利用者は音声を確実に聞き取ることができ、また、再生コマンドがフォワードコマンドであるときには再生処理を直ちに終了させることができるので、処理の迅速化を図ることができる。
【００６４】
さらに、記憶部１１における録音データの有無を判定する録音データ有無判定手段１１０と、録音データが有ると判定したときは履歴データの録音有りフラグを立てるフラグ設定手段１１１とを有することにより、確実かつ迅速に録音メッセージの有無を判定して利用者に通知することができ、必要な場合には利用者は直ちに音声を再生することができる。
【００６５】
【発明の効果】
以上説明したように本発明の請求項１に記載の電話装置によれば、ベル信号を検知するベル信号検知回路と、電話回線に接続するための回線インタフェース部と、全体を制御する制御部とを有する電話装置であって、制御部は、発信者情報を受信したか否かを判定する発信者情報受信判定手段と、発信者情報を受信したと判定したときは発信者情報の示す発信者の着信日時や着信件数等が格納された履歴データの有無に応じて履歴データを新規作成または更新して記憶部に記憶させる発信者情報受信処理手段とを有することにより、発信者情報つまり発信者関連情報の新旧や件数を判定することができるので、外出先の利用者の要求に応じて、新旧すべての発信者関連情報を送信したり、最新の発信者関連情報を送信したり、また、同一発呼者からの発信者関連情報をまとめて送出したりすることができるという有利な効果が得られる。
【００６６】
請求項２に記載の電話装置によれば、請求項１に記載の電話装置において、受信した発信者情報を所定の形式で記憶部に記憶させると共に所定の形式で記憶部に記憶された発信者情報を読み出して回線インタフェース部へ出力する音声処理部を備え、制御部は、回線閉結後に外部から受信したパスワードが所定のパスワードと一致するか否かを判定するパスワードデータ判定手段と、受信したパスワードが所定のパスワードと一致したと判定したときは受信した再生コマンドの内容に応じて、記憶部に記憶された全ての履歴データまたは最新の履歴データを音声処理部を介して外部へ送信する発信者情報音声送出処理手段とを有することにより、受信した再生コマンドに応じて、記憶部に記憶された全ての履歴データおよびメッセージデータまたは最新の履歴データおよびメッセージデータを音声処理部を介して外部へ送信することができるので、外出先の利用者の要求に応じて、新旧すべての発信者関連情報を送信したり、最新の発信者関連情報を送信したりすることができるという有利な効果が得られる。
【００６７】
請求項３に記載の電話装置によれば、請求項１または２に記載の電話装置において、発信者情報受信処理手段は、発信者情報の示す発信者の履歴データの有無を判定する履歴データ有無判定手段と、履歴データが有ると判定したときは履歴データの受信日時を最新の受信日時に更新すると共に履歴データの着信件数を１件カウントアップする履歴データ更新手段と、履歴データが無いと判定したときは新規の履歴データを登録すると共に履歴データへの名前データの登録を調整する履歴データ登録手段とを有することにより、履歴データの有無に応じて適正に履歴データを作成・更新することができ、また名前データを確実に登録することができるという有利な効果が得られる。
【００６８】
請求項４に記載の電話装置によれば、請求項１乃至３のいずれか１に記載の電話装置において、履歴データ登録手段は、発信者情報に名前データが含まれているときは、含まれる名前データを履歴データに登録し、発信者情報に名前データは含まれないが発信者情報の示す電話番号と同一の電話番号が電話帳にあるときは、同一の電話番号に対応する名前データを履歴データに登録することにより、名前データが発信者情報に含まれているか又は電話帳に登録されている場合には確実に履歴データに登録することができるので、発信者関連情報を外出先の利用者に送信する際に、確実に発信者の名前を通知することができるという有利な効果が得られる。
【００６９】
請求項５に記載の電話装置によれば、請求項２乃至４のいずれか１に記載の電話装置において、発信者情報音声送出処理手段は、受信した再生コマンドが全発信者関連情報の送出コマンドである場合には記憶部に記憶された全ての履歴データを音声処理部を介してアナログ音声信号として外部へ送出し、受信した再生コマンドが最新発信者関連情報の送出コマンドである場合には記憶部に記憶された最新の履歴データを音声処理部を介してアナログ音声信号として外部へ送出するスピーチ送出処理手段を有することにより、受信した再生コマンドが全発信者関連情報の送出コマンドか又は最新発信者関連情報の送出コマンドかに応じて全履歴データ（つまり全発信者関連情報）または最新履歴データ（つまり最新発信者関連情報）を送信するようにしたので、外出先の利用者の要求に応じて確実に、新旧すべての発信者関連情報を送信したり、最新の発信者関連情報を送信したりすることができるという有利な効果が得られる。
【００７０】
請求項６に記載の電話装置によれば、請求項２乃至５のいずれか１に記載の電話装置において、スピーチ送出処理手段は、受信した再生コマンドがスロー再生コマンドである場合には記憶部からの履歴データの読出しをスローで行う再生設定手段を備えたことにより、受信した再生コマンドがスロー再生を指示しているときには確実に録音データのスロー再生を行って、スローに再生された音声信号を外出先の利用者に送信することができるので、利用者は確実に着信者のメッセージを理解することができるという有利な効果が得られる。
【００７１】
請求項７に記載の電話装置によれば、請求項２乃至６のいずれか１に記載の電話装置において、スピーチ送出処理手段は、リピートコマンドを受信したかフォワードコマンドを受信したかを判定する再生方法コマンド判定手段を有し、リピートコマンドを受信したと判定したときは音声再生を再び繰り返すことにより、受信した再生コマンドがリピートコマンドであるときには音声再生が繰り返されるので、利用者は音声を確実に聞き取ることができ、また、再生コマンドがフォワードコマンドであるときには再生処理を直ちに終了させることができるので、処理の迅速化を図ることができるという有利な効果が得られる。
【００７２】
請求項８に記載の電話装置によれば、請求項１乃至７のいずれか１に記載の電話装置において、制御部は、記憶部における録音データの有無を判定する録音データ有無判定手段と、録音データが有ると判定したときは履歴データの録音有りフラグを立てるフラグ制御手段とを有することにより、確実かつ迅速に録音メッセージの有無を判定して利用者に通知することができ、必要な場合には利用者は直ちに音声を再生することができるという有利な効果が得られる。
【図面の簡単な説明】
【図１】一般的な留守番電話システムを示す構成図
【図２】本発明の実施の形態１による電話装置を示すブロック図
【図３】プログラムによって実現される制御部の構成を示す機能ブロック図
【図４】制御部の動作を示すフローチャート
【図５】ベル回数カウント処理手段を示す機能ブロック図
【図６】ベル回数カウント処理手段の動作を示すフローチャート
【図７】発信者情報受信処理手段を示す機能ブロック図
【図８】発信者情報受信処理手段の動作を示すフローチャート
【図９】回線モニタ処理手段を示す機能ブロック図
【図１０】回線モニタ処理手段の動作を示すフローチャート
【図１１】発信者情報音声送出処理手段を示す機能ブロック図
【図１２】発信者情報音声送出処理手段の動作を示すフローチャート
【図１３】スピーチ送出処理手段を示す機能ブロック図
【図１４】スピーチ送出処理手段の動作を示すフローチャート
【符号の説明】
１　回線インタフェース部
２　Ａ／Ｄ．Ｄ／Ａ変換回路
３　トーン信号出力回路（ＴＯＮＥ信号出力回路）
４　並列接続電話機オン・オフフック検知回路
５　ＤＴＭＦ信号検知回路
６　終話音信号検知回路
７　ベル信号検知回路
８　発信者情報受信回路
９　音声処理部
１０　制御部
１１　記憶部
１２　オン・オフフック検出部
２１、２３　電話装置
２２　電話回線網
２４　携帯電話機
１０１　ベル信号検知判定手段
１０２　発信者情報受信判定手段
１０３　ベル回数カウント処理手段
１０４　発信者情報受信処理手段
１０５、１５７　回線制御手段
１０６　録音制御手段
１０７　回線モニタ処理手段
１０８　パスワードデータ判定手段
１０９　発信者情報音声送出処理手段
１０９ａ　終話音検知手段
１１０　録音データ有無判定手段
１１１　フラグ設定手段
１２１　ベル回数カウント手段
１２２、１４２　オフフック検出判定手段
１２３、１４３　並列接続電話機判定手段
１３１　履歴データ有無判定手段
１３２　履歴データ更新手段
１３３　履歴データ登録手段
１４１　ＤＴＭＦモニタ手段
１５１　再生コマンド判定手段
１５２　着信履歴有無判定手段
１５３　スピーチ送出処理手段
１５４　全履歴情報送出判定手段
１５５　履歴情報移動手段
１５６、１６５　通知手段
１６１　音声処理手段
１６２　スロー再生コマンド判定手段
１６３　再生設定手段
１６４　再生方法コマンド判定手段
１６６　録音再生コマンド判定手段
１６７　再生送出手段
【図１】
2004023218.tif 000003
【図２】
2004023218.tif 000004
【図３】
2004023218.tif 000005
【図４】
2004023218.tif 000006
【図５】
2004023218.tif 000007
【図６】
2004023218.tif 000008
【図７】
2004023218.tif 000009
【図８】
2004023218.tif 000010
【図９】
2004023218.tif 000011
【図１０】
2004023218.tif 000012
【図１１】
2004023218.tif 000013
【図１２】
2004023218.tif 000014
【図１３】
2004023218.tif 000015
【図１４】
2004023218.tif 000016